(57)【要約】【課題】  スキャナプリンタの低コストと小型化。【解決手段】  ＢＪプリンタが持っている分離搬送部をそのまま利用して原稿分離を行うとともに、原稿積載台及び原稿有り無し検センサ−を新たに配設し使い勝手を向上しつつファクシミリへの応用も可能とする。【選択図】  図１
2006160379.tif 000002
【特許請求の範囲】
【請求項１】
複数の被画像読み取り部材を分離してから画像を読み取り、複数の被画像形成部材を分離してから画像を形成する画像形成読み取り装置において、前記被画像読み取り部材を初期的にセットするための前記被画像読み取り部材積載台と、前記被画像形成部材を初期的にセットするための前記被画像形成部材積載台と、前記被画像読み取り部材が前記画像読み取り部材積載台上に有るか無いかを検出する手段と、前記被画像読み取り部材と前記被画像形成部材の先端部及び後端部を検出する手段と、前記被画像読み取り部材と前記被画像形成部材を分離搬送する手段と、前記被画像読み取り部材と前記被画像形成部材を搬送する手段とを具備したことを特徴とする画像形成読取装置。
【請求項２】
請求項１の画像形成読取装置において、前記被画像読み取り部材と前記被画像形成部材を分離搬送する手段が爪分離方式であることを特徴とする画像形成読取装置。
【請求項３】
請求項１の画像形成読取装置において、前記被画像読み取り部材と前記被画像形成部材を分離搬送する手段が分離パッド方式であることを特徴とする画像形成読取装置。
【請求項４】
請求項１，２の画像形成読取装置において前記画像形成手段がインクジェット方式の画像形成手段であることを特徴とする画像形成読取装置。
【請求項５】
請求項１，２，３の画像形成読取装置をもちいたことを特徴とするファクシミリ装置。
【発明の詳細な説明】
【技術分野】
【０００１】
本発明はデジタル式画像形成読み取り装置、とくに画像形成部がインクジェット記録方式である画像形成読み取り装置及びファクシミリ装置に関するものである。
【背景技術】
【０００２】
従来のこの種の画像形成読み取り装置の概断面図を図５に表す。
【０００３】
本図において１は被画像形成部材であって（以降記録紙１）図中矢線Ｂ方向に搬送される。また８は被画像読み取り部材であって（以降原稿８）図中矢線Ａ方向に搬送される。また９は分離搬送ロ−ラであって摩擦片１０と協働することにより分離ロ−ラ９が矢線ａ方向に回転することで複数の原稿８を1枚ずつ分離搬送し、矢線Ａ方向に示す分離ロ−ラ９の下流に分離搬送する。次に３は光電変換素子及び光源を具備したコンタクトセンサ−３であってガイド１５により読み取り位置に案内された原稿８の画情報を順次読み取っていく、ここで図中３ａはコンタクトセンサ−３の読み取り位置を表す、さらに４はラインフィ−ドロ−ラ（以降ＬＦロ−ラ）であってバックアップコロ５とＬＦロ−ラ４が協働することにより原稿８と記録紙１は搬送されることになる。
【０００４】
次に１１は記録紙積載台であって、中板（記録紙の分離ロ−ラ９への圧接部材）１３と中板バネ１２と分離ツメ１４が配設されており、中板１３の上に積載された記録紙１は分離ロ−ラ９が矢線ｂ方向に回転すると前記の部品がそれぞれ協働することで、複数の記録紙１を順次一枚ずつ分離搬送していく、一枚ずつ分離搬送された記録紙１は図示のごとく前述ＬＦロ−ラ４とバックアップコロ５の間に挟まれて搬送され、記録コンポ−ネント２により順次画像が形成されることになる。ここで記録コンポ−ネント２はインクジェット記録装置であって本図に対して奥行き方向に往復動作を繰り返すことにより順次画像を形成していくことになる。
【０００５】
さて前述のごとく画像を読み取られた原稿８及び画像が形成された記録紙１は図中排紙ロ−ラ６と排紙コロ７が協働することで機外に排出されることになる。
【０００６】
ここで排紙ロ−ラ６と排紙コロ７による記録紙１の搬送力はＬＦロ−ラ４とバックアップコロ５による記録紙１の紙送り精度に影響を与えないよう十分に小さい値となっている。
【０００７】
さらに記録紙１に画像形成している動作中は前記中板１３は下降しており分離ロ−ラ９の摩擦力が記録紙１に影響しないようになっている。
【０００８】
また本装置において複写を行う場合には原稿の画像を少なくとも１ペ−ジ分スキャンして図示せぬメモリにスキャンした画情報を格納してその後別のシ−トを搬送して前記画情報を画像形成していく。
【０００９】
また図６にしめすがごとく記録コンポネント２が取り外し自在になっており記録コンポ−ネント２のかわりにスキャナ−カ−トリッジ３をユ−ザに装填してもらい中板１３もしくは記録紙積載台１１上にある記録紙１の最上部に原稿８をセットしてもらい本装置をスキャナ−として使用する従来例もあった。
【００１０】
又、別の従来例としては、例えば特許文献１をあげることが出来る。
【特許文献１】特開2003-321143号公報
【発明の開示】
【発明が解決しようとする課題】
【００１１】
しかしながら上述従来例では図５の系ではＬＦロ−ラ４と分離ロ−ラ９を同一駆動源で駆動しようとすると例えばスキャン時でもプリント時でもＬＦロ−ラ４は図中矢線ａ方向に回転するのに分離ロ−ラ９はそれぞれ図中矢線ａ，ｂ方向に回転させる必要があって前記駆動伝達手段が複雑となってコストを上昇させる問題があった。
【００１２】
また従来例図６の方式では中板１３上の用紙が記録紙なのか原稿なのか識別することができないため記録紙をスキャンしてしまったり、原稿に対して印字してしまう問題もあった。さらに従来の方式の画像形成読み取り装置を用いたファクシミリでは同じく中板１３上の用紙が記録紙なのか原稿なのか識別することができないため、原稿タイマ−送信や原稿ポ−リング受信等の機能が搭載できずファクシミリとしての機能が大幅に制限されてしまう問題があった。
【課題を解決するための手段】
【００１３】
上記問題を解決するために本出願に係る第１の発明は前記被画像読み取り部材を初期的にセットするための前記被画像読み取り部材積載台と、前記被画像形成部材を初期的にセットするための前記被画像形成部材積載台と、前記被画像読み取り部材が前記画像読み取り部材積載台上に有るか無いかを検出する手段と、前記被画像読み取り部材と前記被画像形成部材の先端部及び後端部を検出する手段と、前記被画像読み取り部材と前記被画像形成部材を分離搬送する手段と、前記被画像読み取り部材と前記被画像形成部材を搬送する手段とを具備したことを特徴とする。
【００１４】
第２の発明は前記被画像読み取り部材と前記被画像形成部材を分離搬送する手段が爪分離方式の分離手段であることを特徴とする。
【００１５】
第３の発明は前記被画像読み取り部材と前記被画像形成部材を分離搬送する手段が分離パッド方式の分離手段であることを特徴とする。
【００１６】
第４の発明は記録方式をもともと非接触で記録を行うインクジェット記録方式を用いたことを特徴とする。
【００１７】
第５の発明は本発明に係る画像形成読取装置をもちいてファクシミリ装置を構成したことを特徴とする。
【発明の効果】
【００１８】
以上説明したように被画像読み取り部材を初期的にセットするための前記被画像読み取り部材積載台と、前記被画像形成部材を初期的にセットするための前記被画像形成部材積載台と、前記被画像読み取り部材が前記画像読み取り部材積載台上に有るか無いかを検出する手段と、前記被画像読み取り部材と前記被画像形成部材の先端部及び後端部を検出する手段と、前記被画像読み取り部材と前記被画像形成部材を分離搬送する手段と、前記被画像読み取り部材と前記被画像形成部材を搬送する手段とを具備したことにより従来プリンタがもっていた機構部品に僅かな部品を追加するだけでスキャナ、プリンタが実現できることになり、コストを低くできる効果がある。さらに分離手段をパッド分離にすることで分離時の重送率削減効果があり品質が向上する効果がある。またファクシミリ等への応用も可能となる効果がある。
【発明を実施するための最良の形態】
【００１９】
図１は本発明によるところの画像形成、読み取り装置の中央断面図であり、図２は図１の概斜視図である。
【００２０】
本図において１は被画像形成部材であり（以降記録紙１）図中矢線Ｂ方向に搬送される。
【００２１】
８は被画像読み取り部材であって（以降原稿８）図中同じく矢線Ｂ方向に搬送される。まず原稿８を読み取る時の本装置の動作について説明する、まず２２は原稿積載台２２であってサイド規制板２３ａ，ｂにより原稿８の幅方向も規制されることになる。ここで２３ａは固定されており原稿８の後述する爪１４側のサイドはちょうど爪１４にはさまれるがごとく配置されている。また原稿積載台８には原稿有り無し検２４があって本装置のユ−ザが原稿積載台２２上に原稿８をセットしたかを検出する。ユ−ザにより初期的にセットされた原稿８の状態を図１に表す。ここで図１においてはあらかじめ後述する記録紙１が積載された上に原稿８が積載された状態が表されているが、記録紙１が無ければ後述する中板１３の上に直接積載されることになる。次に２１は分離搬送ロ−ラであって図中の中板１３が中板バネ１２によって上昇されされることにより原稿８の最上部の原稿８は分離ロ−ラ２１に接触し分離搬送ロ−ラ２１が図中矢線ｂ方向に回転することで爪１４と協働作用することで原稿８の最上部より原稿８は順次矢線Ｂ方向に分離搬送されることになる。ここで中板１３は中板支持台１１に回転自在に支持されている。前述の動作は一般的に言われている爪分離方式の標準的動作である。一枚ずつ分離搬送された原稿８は図中上ガイド１９とプラテン１６に案内され用紙エッジセンサ１９により原稿８の先端部がどのタイミングで通過したかを検出される。また４はラインフィ−ドロ−ラ（以降ＬＦロ−ラ）であって図示せぬモ−タ−等駆動源により図示せぬ通常歯車またはプ−リ等からなる駆動伝達手段によって駆動せしめられる、さらに５は前記ＬＦロ−ラ４のバックアップコロであってコロ５とＬＦロ−ラ４が協働することにより原稿８は搬送されることになる。前述のごとく原稿８はＬＦロ−ラ４とバックアップコロ５の間に挟まれて搬送されさらに排紙ロ−ラ６と排紙バックアップコロ７によって搬送される、さて３は光電変換素子及び光源を具備したコンタクトセンサ−３であって排紙ロ−ラ６と排紙バックアップコロ７によって搬送されコンタクトセンサ３の読み取り位置に案内された原稿８の画情報を順次読み取っていく、ここで３は光源を具備したＣＣＤ等光電変換素子であればなんでもかまわず、図中３ａではコンタクトセンサ−３の読み取り位置を表す。
【００２２】
次に記録紙１の動作を説明する。
【００２３】
１１は記録紙積載台であって、前述のごとく中板１３と中板バネ１２と分離ツメ１４が配設されており、原稿８の分離動作と同様に中板１３の上に積載された記録紙１は分離ロ−ラ９が矢線ｂ方向に回転すると前記の部品がそれぞれ協働することで、複数の記録紙１を順次一枚ずつ分離搬送していく。一枚ずつ分離搬送された記録紙１は原稿８と同様に図中上ガイド１９とプラテン１６に案内され用紙エッジセンサ１９により記録紙１の先端部がどのタイミングで通過したかを検出される。図示のごとく前述ＬＦロ−ラ４とバックアップコロ５の間に挟まれて搬送され、記録コンポ−ネント２により順次画像が形成されることになる。ここで記録コンポ−ネント２はインクジェット記録装置であって本図に対して奥行き方向に往復動作を繰り返すことにより順次画像を形成していくことになる。次に２は記録コンポ−ネントであって前記記録紙１に対してインク等を吐出することにより画像を形成する。ここで記録コンポ−ネント２には図中矢線Ａ方向に向かって複数のインク吐出口が配置されている。つまり記録紙１をＬＦロ−ラ４で搬送しいったん停止し前記記録コンポ−ネント２が本図に対して奥行き方向に往復動作を行って画像を形成し、前記画像が形成された後前記記録紙１をＬＦロ−ラ４で搬送しいったん停止するという動作を繰り返すことにより順次画像を形成していくことになる。さらに排紙ロ−ラ６に対するバックアップコロ７の押圧力も充分小さくなるよう構成され、記録紙１の先端が排紙ロ−ラ６とバックアップコロ７に挟まれても記録紙１のＬＦロ−ラ４による搬送精度は維持されるよう構成されている。ここで記録コンポ−ネント２はシャフト１７に摺動自在に支持されている、さらに記録コンポ−ネント２はベルト９に固定されておりベルト９はプ−リ１０と図示せぬプ−リの間に張架されており、プ−リ９はモ−タ８のシャフトに固定されている。
【００２４】
また１１はフレ−ムであって本図中の構成要件を支持している。
【００２５】
上述のごとくの構成のため、モ−タ２０が回転運動を行うことにより記録コンポ−ネント２はそれぞれ図中矢線Ｃ，Ｄ方向に往復運動を行うことになる。
【００２６】
さて図３に前述実施例における分離搬送手段を分離パッド方式で実現した断面図を、また図４に図３の概斜視図を表す本実施系においては前述実施系によるところの爪１４は無く、前記爪１４のかわりにゴム等高摩擦係数部材パッド２５があってパッド２５はパッドバネ２６により分離ロ−ラ２１に押圧されている。本構成においても原稿８の最上紙または記録紙１の最上紙は前述中板１３によって分離ロ−ラ２１に押圧され搬送されパッド２５と分離ロ−ラ２１の協働作用により最上紙より順次分離搬送される。
【００２７】
前記により本装置は原稿８がセットされているかが原稿有り無し検２４の信号により識別でき、原稿８がある状態で原稿分離ロ−ラ２１を矢線ｂ方向に回転させ所定時間もしくは所定ステップ数前記モ−タが回転しても用紙エッジセンサ−１９が用紙を検出できないときは原稿８のジャム状態であることも識別できる。さらに用紙エッジセンサ−１９が原稿８の先端を検出することで原稿８の読み取り開始位置も精度よく行うことができる。
【００２８】
同様に原稿８の無し状態で分離搬送ロ−ラ２１を矢線ｂ方向に回転するときは印字動作を行うときであって所定時間もしくは所定ステップ数前記モ−タが回転しても用紙エッジセンサ−１９が用紙を検出できないときは記録紙１が積載されていない状態もしくは記録紙１がジャムした状態と本装置は認識することになる。
【００２９】
上記により本装置を使用してファクシミリを構成した場合、原稿８がある状態では原稿タイマ−送信可能もしくは原稿ポ−リング送信可能状態となるが、受信印字は不可状態となりその状態を相手側送信機に対して通達するかメモリ−受信動作を行うことになる。
【００３０】
また原稿８が無い状態では受信印字可能状態となる。
【図面の簡単な説明】
【００３１】
【図１】本発明に係る第１実施系の中央断面図
【図２】図１の斜視図
【図３】本発明に係る第２実施系の中央断面図
【図４】図３の斜視図
【図５】従来例の断面図
【図６】従来例の断面図
【符号の説明】
【００３２】
１  記録紙
２  記録コンポ−ネント
３  コンタクトセンサによる光電変換素子
４  ＬＦロ−ラ
８  原稿
【図１】
2006160379.tif 000003
【図２】
2006160379.tif 000004
【図３】
2006160379.tif 000005
【図４】
2006160379.tif 000006
【図５】
2006160379.tif 000007
【図６】
2006160379.tif 000008